(57)【要約】【課題】撮影画像データとこの撮影画像データに対するユーザによって書き込み可能な画像処理関連情報を含む属性情報とからなる撮影画像ファイルをもってプリントショップ等で写真プリント出力を依頼する際、不測に設定したかもしれない属性情報をチェックして、本当にユーザが所望するプリント画像は何であるかを確認できること。【解決手段】読み込まれた撮影画像データに画像処理を施す画像処理手段40と、撮影画像データに基づいて写真プリントを出力するプリント部12と、読み込まれた撮影画像ファイルから画像処理関連情報を検出する画像処理関連情報検出部36と、書き込まれた画像処理関連情報に基づいて画像処理された画像データに基づく第１画像とそのような画像処理関連情報を無視して画像処理された画像データに基づく第２画像をモニタ4に表示させるとともにいずれかを写真プリント出力のために選択させる補正選択画面管理部37が備えられている。【選択図】        図３
2005102062.tif 000002
【特許請求の範囲】
【請求項１】
撮影画像データとこの撮影画像データに対するユーザによって書き込み可能な画像処理関連情報を含む属性情報とからなる撮影画像ファイルを読み込む画像データ入力部と、読み込まれた撮影画像データに画像処理を施す画像処理手段と、撮影画像データに基づいて写真プリントを出力するプリント部とからなる写真プリント装置において、
読み込まれた撮影画像ファイルから画像処理関連情報を検出する画像処理関連情報検出部と、書き込まれた画像処理関連情報に基づいて画像処理された画像データに基づく第１画像とそのような画像処理関連情報を無視して画像処理された画像データに基づく第２画像とをモニタに表示させるとともにそれらのいずれかを写真プリント出力のために選択させる補正選択画面管理部が備えられていることを特徴とする写真プリント装置。
【請求項２】
前記画像処理手段には前記プリント部から出力される写真プリントの画像をシミュレートするシミュレーティッド画像データを作成するシミュレーティッド画像生成部が備えられ、前記モニタには前記第１画像のためのシミュレーティッド画像と、前記第２画像ためのシミュレーティッド画像が表示されることを特徴とする請求項１に記載の写真プリント装置。
【請求項３】
前記補正選択画面管理部は前記第１画像と前記第２画像の画像処理的に中間的な画像となる第３画像をも前記モニタに表示させることを特徴とする請求項１又は２に記載の写真プリント装置。
【請求項４】
前記撮影画像ファイルがExifファイルであり、前記画像処理関連情報がプリント自動補正解除指示を示すＣＲタグであることを特徴とする請求項１から３のいずれか１項に記載の写真プリント装置。
【請求項５】
撮影画像データとこの撮影画像データに対するユーザによって書き込み可能な画像処理関連情報を含む属性情報とからなる撮影画像ファイルを読み込む画像データ入力部と、設定された画像処理条件に基づいて読み込まれた撮影画像データに画像処理を施す画像処理手段と、設定された画像処理条件とともに撮影画像データを写真プリント装置へ送る写真プリント受付装置において、
前記写真プリント装置から出力される写真プリントの画像をシミュレートするシミュレーティッド画像データを作成するシミュレーティッド画像生成部と、読み込まれた撮影画像ファイルから画像処理関連情報を検出する画像処理関連情報検出部と、書き込まれた画像処理関連情報に基づいて画像処理された画像のためのシミュレーティッド画像とそのような画像処理関連情報を無視して画像処理された画像のためのシミュレーティッド画像をモニタに表示させるとともにそれらのいずれかを写真プリント出力のために選択させる補正選択画面管理部が備えられていることを特徴とする写真プリント受付装置。
【発明の詳細な説明】
【技術分野】
【０００１】
本発明は、撮影画像データとこの撮影画像データに対するユーザによって書き込み可能な画像処理関連情報を含む属性情報とからなる撮影画像ファイルを読み込む画像データ入力部と、設定された画像処理条件に基づいて読み込まれた撮影画像データに画像処理を施す画像処理手段と、設定された画像処理条件とともに撮影画像データを写真プリント装置へ送る写真プリント受付装置やそのような写真プリント受付装置と一体化した写真プリント装置に関する。
【背景技術】
【０００２】
撮影画像データとこの撮影画像データに対するユーザによって書き込み可能な画像処理関連情報を含む属性情報とからなる撮影画像ファイルとして良く知られているものとして、例えばその属性情報にプリント枚数やプリントサイズなどのプリント情報を含ませたDPOF（登録商標）ファイルや、JPEGフォーマットファイルの拡張版としてその属性情報に撮影条件やプリント自動補正解除指示（ＣＲ）などを含ませたExifファイルがある。このような属性情報はデジタルカメラでの撮影時や撮影後に自動的又はユーザによって記録され、そのような属性情報に含まれている画像処理関連情報を解釈して実行できるプリント装置によって、所望のあるいは適切な画像をプリント出力するために利用されている。
【０００３】
しかしながら、一般的なデジタルカメラのユーザはこのような属性情報には精通していないので、不測に属性情報を記録することがあり、その結果意図しないプリント出力が得られてしまう可能性がある。
【０００４】
このため、DPOFファイルを取り扱うプリント装置に関する技術として、プリント装置に装着されたメモリカードに格納されている全ての撮影画像に対してプリント制御情報が設定されていないかどうかをチェックし、プリント制御情報が設定されていない場合には設定されていないことを知らせる文字を表示するものがある（例えば、引用文献１参照。）。このような属性情報の内の特定の内容が記録されているかどうかをチェックするだけの技術では、属性情報の内容に精通していない一般ユーザを逆に混乱させることになりかねない。プリント枚数やプリントサイズといったわかりやすいものならともかく、色補正等の画像処理に関する情報などではそれが設定された場合とされなかった場合の最終的なプリント画像の様子が理解できないからである。
【０００５】
また、Exifファイルに関する技術として、属性情報を記録できないデジタルカメラのユーザのために、読み込んだ撮影画像データに対してプリント時に施してほしい画像処理を指定し、指定された画像処理条件と撮影画像データをExifファイルとして組み合わせて出力する画像ファイル生成装置が提案されており、その際読み込んだままの撮影画像データによる原画像と指定された画像処理条件で処理された撮影画像データによる第１画像が比較のためにモニタに表示される（例えば、引用文献２参照。）。このような技術では、属性情報を記録できないデジタルカメラのユーザが自らプリント時に施してほしい画像処理をモニタ画像で確認しながら設定できるので、属性情報に精通しているユーザが所望の画像処理をプリンタ側に依頼するケースでは便利である。しかしながら、この技術はユーザ自身の判断で所望する画像処理条件を属性情報として記録するためのものであって、特に画像処理関連情報といった属性情報に精通していない一般ユーザが、不測に設定したかもしれない属性情報をチェックして、本当にユーザが所望するプリント画像は何であるかを確認するような目的には用いられない。
【０００６】
【特許文献１】特開２００２−５９６１２号公報（段落番号００７８−００７９、図５）
【０００７】
【特許文献２】特開２００３−４６７９７号公報（段落番号００６１−００６７、図８）
【発明の開示】
【発明が解決しようとする課題】
【０００８】
上記実状に鑑み、本発明の課題は、撮影画像データとこの撮影画像データに対するユーザによって書き込み可能な画像処理関連情報を含む属性情報とからなる撮影画像ファイルをもってプリントショップ等で写真プリント出力を依頼する際、不測に設定したかもしれない属性情報をチェックして、本当にユーザが所望するプリント画像は何であるかを確認できるような技術を提供することである。
【課題を解決するための手段】
【０００９】
上記課題を達成するため、撮影画像データとこの撮影画像データに対するユーザによって書き込み可能な画像処理関連情報を含む属性情報とからなる撮影画像ファイルを読み込む画像データ入力部と、読み込まれた撮影画像データに画像処理を施す画像処理手段と、撮影画像データに基づいて写真プリントを出力するプリント部とからなる、本発明による写真プリント装置では、さらに、読み込まれた撮影画像ファイルから画像処理関連情報を検出する画像処理関連情報検出部と、書き込まれた画像処理関連情報に基づいて画像処理された画像データに基づく第１画像とそのような画像処理関連情報を無視して画像処理された画像データに基づく第２画像とをモニタに表示させるとともにそれらのいずれかを写真プリント出力のために選択させる補正選択画面管理部が備えられている。
【００１０】
この構成によると、ユーザによってプリントショップに持ち込まれたメモリカード等から読み込まれた撮影画像ファイルの属性情報記述部に書き込まれている画像処理関連情報が画像処理関連情報検出部によって検出されると、その画像処理関連情報に基づいて画像処理された撮影画像を表す第１画像（ユーザ指定に依存した画像）とその画像処理関連情報を無視して画像処理された撮影画像を表す第２画像（ユーザ指定から独立した画像）がモニタに比較表示されるので、ユーザは自分が所望する画像がどちらであるかを容易に判断することができ、所望の画像品質をもつ写真プリントを依頼することができる。これにより、ユーザは属性情報に含まれる画像処理関連情報がユーザの意志によってあるいは不測に設定されていても、いずれにせよモニタ画面で確認した上で最終的に決定することができるので、出力された写真プリントを見てこれは自分の所望する画像ではないといったようなクレームは抑制される。
【００１１】
ここで具体例を説明すると、撮影画像データとこの撮影画像データに対するユーザによって書き込み可能な画像処理関連情報を含む属性情報とからなる撮影画像ファイルの典型的な例はExifファイルであり、その場合、画像処理関連情報検出部がプリント自動補正解除指示を示すＣＲタグがＯＮとなっているかどうかをチェックするように構成するとよい。ＣＲタグがＯＮとなっているとプリント装置側で行う画像の自動補正は解除となるので、撮影時の撮影者の意図に沿った写真プリントが出力され、ＣＲタグがＯＮになっていなければ、プリンタ側で自動補正が機能することからある程度の露出エラー（露出不足や露出過度）等を補正した写真プリントが出力されるが、一般的なユーザを考えるとプリント装置側での自動補正は重要であるので、もしＣＲタグがＯＮとなっている場合には補正選択画面管理部の働きで、画像処理関連情報（ＣＲ）に基づいて自動補正されなかった第１画像（ユーザ指定依存画像）とそのような画像処理関連情報を無視して自動補正された第２画像（ユーザ指定独立画像）とがモニタ表示され、ユーザに選択させることは好都合である。
【００１２】
また、画像処理関連情報検出部が画像処理関連情報としてマニュアル露出で撮影されたことを指示するタグがＯＮとなっているかどうかをチェックするように構成されている場合には、このタグが検出されても、第１画像と第２画像がモニタ表示されるが、その際第１画像は濃度補正とコントラスト補正が行われておらず、他の補正（色補正など）が行われた画像を表すことになり、第２画像は濃度補正やコントラスト補正も含む完全な補正がなされた画像を表すことになる。つまり、このマニュアル補正タグは、濃度やコントラストに関しては撮影者の撮影意図に従ってその点での自動補正は行わないことを指示しているものとみなしているのである。
【００１３】
本発明の好適な実施形態では、前記画像処理手段には前記プリント部から出力される写真プリントの画像をシミュレートするシミュレーティッド画像データを作成するシミュレーティッド画像生成部が備えられ、前記モニタには前記第１画像のためのシミュレーティッド画像と前記第２画像のためのシミュレーティッド画像が表示される。この構成によれば、前述したモニタに表示される第１画像と第２画像を比較する際に、単に画像データにプリンタ側での特定の画像処理を施さない画像データと施した画像データに基づく画像を表示するのではなく、各画像データを用いて付属するプリント部によって出力された写真プリントに形成される画像をシミュレートして得られたシミュレーティッド画像でもって、つまりプリント部のプリント特性を考慮した、第１画像と第２画像でもってユーザは所望する画像を選択することができるので、より間違いのない画像選択が実現する。
【００１４】
本発明のさらに好適な実施形態では、前記補正選択画面管理部は前記第１画像と前記第２画像の画像処理的に中間的な画像となる第３画像をも前記モニタに表示させる。つまりこの構成では、ＣＲタグのような画像処理関連情報の書き込みがある撮影画像データに対しては、規定の画像処理を施して得られる第１画像とそのような画像処理を施さずに得られる第２画像に加えて、そのような画像処理をゆるめに、好ましくは中間程度に施して得られた第３画像もモニタに比較選択のために表示されるので、ユーザの選択範囲が広がり、よりユーザ本位の画像選択が可能となる。
【００１５】
上述した発明では、画像入力部や画像処理部及び画像処理部で処理された画像データに基づいて写真プリントを出力するプリント部も含まれた写真プリント装置が対象となっていたが、本発明の趣旨から判断して、プリント部が切り離され、そこで設定された画像処理条件とともに撮影画像データを写真プリント装置へ送る、いわゆる写真プリント受付装置も本発明の対象となりうる。そのような本発明による写真プリント受付装置は、実質的は、読み込まれた撮影画像ファイルから画像処理関連情報を検出する画像処理関連情報検出部と、書き込まれた画像処理関連情報に基づいて画像処理された画像データに基づく第１画像とそのような画像処理関連情報を無視して画像処理された画像データに基づく第２画像をモニタに表示させるとともにいずれかを写真プリント出力のために選択させる補正選択画面管理部が備えられるだけで、上述した写真プリント装置で述べられた作用効果を得ることができる。しかしながら、本発明による、特に好適な写真プリント受付装置では、撮影画像データとこの撮影画像データに対するユーザによって書き込み可能な画像処理関連情報を含む属性情報とからなる撮影画像ファイルを読み込む画像データ入力部と、設定された画像処理条件に基づいて読み込まれた撮影画像データに画像処理を施す画像処理手段とを備えるとともに、さらに、前記写真プリント装置から出力される写真プリントの画像をシミュレートするシミュレーティッド画像データを作成するシミュレーティッド画像生成部と、読み込まれた撮影画像ファイルから画像処理関連情報を検出する画像処理関連情報検出部と、書き込まれた画像処理関連情報に基づいて画像処理された画像（第１画像）のためのシミュレーティッド画像とそのような画像処理関連情報を無視して画像処理された画像（第２画像）のためのシミュレーティッド画像をモニタに表示させるとともにいずれかを写真プリント出力のために選択させる補正選択画面管理部が備えられている。この写真プリント受付装置は当然上述した作用効果を有することができる。
本発明によるその他の特徴及び利点は、以下図面を用いた実施形態の説明により明らかになるだろう。
【発明を実施するための最良の形態】
【００１６】
本発明の実施の形態について、図面に基づいて説明する。なおこの実施の形態では、取り扱う撮影画像ファイルをExifファイルとし、説明を簡単にするため、画像処理関連情報検出部でチェックされる画像処理関連情報がプリント自動補正解除指示を示すＣＲタグとしておく。従って、補正選択画面管理部の働きによって比較検討のためにモニタ表される画像はＣＲタグにＯＮが書き込まれている画像データに基づくものである。
【００１７】
図１には、本発明による写真プリント装置の外観図が示されている。この写真プリント装置は、印画紙Ｐに対して露光処理と現像処理とを行う写真プリンタとしてのプリントステーション１Ｂと、現像済み写真フィルムＦやデジタルカメラ用メモリカードＭなどから取り込んだ撮影画像データやプリント注文データを処理してプリントステーション１Ｂで使用されるプリントデータの生成や転送などを行う操作ステーション１Ａとから構成されている。
【００１８】
この写真プリント装置はデジタルミニラボとも称せられるものであり、図２からよく理解できるように、プリントステーション１Ｂは２つの印画紙マガジン１１に納めたロール状の印画紙Ｐをこのステーション１Ｂの内部に搬送してプリントサイズに切断すると共に、このように切断された印画紙Ｐに対し、露光エンジンを備えたプリント部１２で撮影画像の露光を行い、この露光後の印画紙Ｐを複数の現像処理槽を有した現像処理部１３に送って現像する。乾燥の後に装置上部の横送りコンベア１４からソータに送られた印画紙Ｐ、つまり写真プリントＰは、このソータの複数のトレイにオーダ単位で仕分けられた状態で集積される。上述した印画紙Ｐに対する各種処理に合わせた搬送速度で印画紙Ｐを搬送するために複数のチャッカー搬送ユニット１５ａを含む印画紙搬送機構１５が設けられている。
【００１９】
プリント部１２は、操作ステーション１Ａから送られてくるプリントデータに基づいて印画紙Ｐを送りながらＲ（赤）、Ｇ（緑）、Ｂ（青）の３原色の光線の照射を印画紙Ｐに対して行うものであり、露光時には印画紙Ｐを副走査方向に搬送しながら、この搬送速度と同期して主走査方向に沿ったライン状に露光を行うよう構成されている。尚、プリント部に搭載される露光ヘッドとしては、露光仕様に応じて、レーザビーム方式、蛍光ビーム方式、液晶シャッター方式、ＤＭＤ方式などの採用が可能であるが、ここではレーザビーム方式が採用されている。いずれにしても、ライン露光方式を採用しているので、プリントサイズは印画紙Ｐの幅と副走査方向での送り長さで決定される。
【００２０】
前記操作ステーション１Ａのデスク状コンソールの上部位置には、写真フィルムＭａの撮影画像コマから撮影画像データを取得するフィルムスキャナ２と、各種情報を表示するオペレータ用モニタ４ａが配置されている。また、この操作テーブルの下方には、取り込んだ撮影画像データの処理を行うとともにプリントステーション１Ｂのための指令コントローラ３としても機能する汎用コンピュータが備えられている。このコントローラ３にはデジタルカメラに装着されるメモリカードＭとして用いられているスマートメディアやコンパクトフラッシュ（いずれも登録商標）などから撮影画像データを取得するメディアリーダ１８が組み込まれており、写真プリント装置における各種設定や調整を行う際にも用いるキーボード１６やマウス１７も接続されている。さらに、写真プリントを依頼するユーザと対面接客する接客カウンター上にはリモートモニタ４ｂが配置されており、オペレータ用モニタ４ａに表示される画面の内ユーザにも見せたい画面だけを選択的に表示できるように構成されている。リモートモニタ４ｂの画面にはタッチパネル１９が装着されており、キーボード１６やマウス１７とともにコントローラ３に対する操作入力部を構成している。なお、オペレータ用モニタ４ａとリモートモニタ４ｂは以下の説明において、特別に区別する必要がある場合を除いてモニタ４として総称される。また、オペレータ用モニタ４ａとリモートモニタ４ｂは兼用することも可能である。
【００２１】
この写真プリント装置のコントローラ３は、ＣＰＵを中核部材として、写真プリント装置の種々の動作を行うための機能部をハードウエア又はソフトウエアあるいはその両方で構築しているが、図３に示されているように、本発明に特に関係する機能部としては、スキャナ２やメディアリーダ１８によって読み取られた撮影画像データを取り込んで次の処理のために必要な前処理を行うデータ前処理部３１と、メモリ３０に展開された撮影画像データに対して解像度変換、シャープネス、粒状抑制、色補正、拡縮、画像回転、トリミング、画像合成などを施す画像処理手段４０、各種ウインドウや各種操作ボタンなどを含むグラフィック操作画面の作成やそのようなグラフィック操作画面を通じての操作入力部（キーボード１６やマウス１７やタッチパネル１９による）から制御コマンドを生成するグラフィックユーザインターフェース（以下ＧＵＩと略称する）を構築するＧＵＩ部３２と、メモリ３０に展開され画像処理を受けた撮影画像データやＧＵＩ部３２から送られてきたグラフィックデータに基づく画像をモニタ４に表示させるためのビデオ信号を生成するビデオ制御部３３と、画像処理が完了した処理済み撮影画像データに基づいてプリントステーション１Ｂに装備されているプリント部１２に適したプリントデータを生成するプリントデータ生成部３４と、顧客の要望に応じて生の撮影画像データや画像処理が完了した処理済み撮影画像データなどをＣＤ−ＲやＤＶＤ−Ｒに書き込むための形式にフォーマットするフォーマッタ部３５と、後で詳しく説明する画像処理関連タグ検出部３６と、補正選択画面管理部３７などが挙げられる。
【００２２】
ここで取り扱われる撮影画像ファイルはExif（Exchangeable image file format）ファイルであり、その仕様は電子情報技術産業協会(JEITA)によって定められており、図４で模式的に示すように、属性情報格納領域と画像データ格納領域から構成され、属性情報格納領域には、「タグ」と呼ばれる情報付加部分に区分けされ、画素数，圧縮モード，カメラ機種名，絞り値，シャッター速度といったデジタルカメラ撮影情報やＣＲタグとして知られているプリント自動補正解除指示といったプリント時に使用される情報などが記録され、画像データ格納領域には、圧縮画像としてのJPEG画像データあるいはTIFF画像データが記録される。なお図示されていないが、本画像を縮小した一覧見出し用の縮小画であるサムネイル画像も画像のファイル一覧を高速に行わせるために記録されることになっている。
【００２３】
データ前処理部３１は、メディアリーダ１８を通じてメモリカードＭから読み込まれた撮影画像ファイルとしてのExifファイルを受け取り、その撮影画像データとしてのJPEG画像データを展開してメモリ３０に送り込むとともに、その属性情報から必要なタグ情報を画像処理関連タグ検出部３６に送り込む。この実施の形態では、画像処理関連タグ検出部３６は、画像処理関連情報としてのプリント自動補正解除指示タグ（以下単にＣＲタグと呼ぶ）を見つけ出し、そのＣＲタグが設定されているか（つまりプリンタ側での自動補正を無効とすることを希望している）どうかを調べる。もし、ＣＲタグが設定されていると、補正選択画面管理部３７に該当する撮影画像データにＣＲタグが付与されていることを知らせる。補正選択画面管理部３７は、その撮影画像データに関して通常通りの自動補正を施した場合に期待される第１画像と、そのような自動補正を施さない場合に期待される第２画像と、第１画像と第２画像の中間となるように制限されたレベルで自動補正された場合に期待される第３画像をモニタ４に表示させて、ユーザに所望の画像処理を確認してもらうべく画像処理部４０やＧＵＩ部３２に補正選択画面表示のコマンドを与える機能をもつ。このような補正選択画面表示は、投入されたメモリカードに格納され、今回のプリント処理の対象となる全ての撮影画像ファイルに対するチェッキングが終了した時点で行われが、もちろん、撮影画像ファイルを読み込む度に補正選択画面をモニタ４に表示させて、ユーザに所望の画像処理を確認するようにしてもよい。
【００２４】
モニタ４に表示される補正選択画面の一例が図５に示されており、左から、第１画像（自動補正なし、ユーザ指示依存画像）、第３画像（自動補正のレベルが弱い）、第２画像（完全自動補正、ユーザ指示独立画像）が並んで配置されており、マウス１７又はタッチパネル１９を通じてユーザが所望する画像を選択することにより、その画像データに対する画像処理条件が決定される。この補正選択画面にはＣＲタグが設定されていた画像ファイルの数を選択処理されるべき残り数を表示する枠や、次の補正選択画面に移行するための「ＮＥＸＴ」ボタンなどが配置されている。
【００２５】
画像処理手段４０には、前述した自動補正のための画像処理条件やオペレータによってマニュアル入力された画像処理条件などを設定登録する画像処理条件設定部４１、入力された撮影画像データに基づいてプリント部１２によって印画紙に撮影画像が形成された際に期待される画像をシミュレートしたシミュレーティッド画像を作成するシミュレーティッド画像生成部４２、上述した補正選択画面を作成するための画像のサイズや配置を決定する画像レイアウト編集部４３などが構築されている。シミュレーティッド画像生成部４２の機能はこの種の写真プリント装置においてはプレジャッジ作業として良く知られている画像補正に利用されている機能であり、ここではこれ以上の詳しい説明は省略する。しかしながら、このシミュレーティッド画像生成部４２の機能により、補正選択画面に用いられる各画面は出力される写真プリントの画像に極めて近いものとなっており、それゆえ、ユーザが最終的に所望する画像を選択する上で利点が大きい。
【００２６】
次に、この写真プリント装置におけるExifファイルからの画像取り込みルーチンからプリント処理ルーチンに到る典型的な制御の流れを、図３と図６を参照しながら説明する。
メディアカードＭをメディアリーダ１８に挿入すると、このメディアカードＭから画像（Exif)ファイルが読み込まれ、データ前処理部３１に転送される（＃０１）。データ前処理部３１は、ExifファイルのJPEG画像データをメモリ３０に展開するとともに（＃０２）、属性情報を画像処理関連タグ検出部３６に転送する（＃０３）。画像処理関連タグ検出部３６は属性情報からＣＲタグを検索し、このＣＲタグが設定（ＯＮ）されているかどうかをチェックし（＃０４）、ＣＲタグが設定されていると（＃０４Yes分岐）、補正選択画面管理部３７の補正選択画面作成テーブルに登録される（＃０５）。つまり、この補正選択画面作成テーブルにはＣＲタグが設定されていたファイル名（又は該当画像ファイルを特定するコード）が一覧化されることになり、後でまとめてこの一覧化された画像データに対する上述したような補正選択画面を通じての自動補正の選択をユーザに問うために利用される。補正選択画面作成テーブルへの登録後、あるいはＣＲタグが設定されてない場合（＃０４No分岐）、画像処理関連タグ検出部３６によるＣＲタグチェックを受けていない画像ファイル名が残っているかどうかチェックされ（＃０６）、全ての画像ファイルに対するＣＲタグチェックが終了するまで、ステップ＃０１からステップ＃０６のルーチンが繰り返される。
【００２７】
全ての画像ファイルに対するＣＲタグチェックが終了すると、補正選択画面作成テーブルへ登録された画像ファイル名が空であるかどうかチェックされ（＃０７）、登録された全てのファイル名をもつ画像データに対して順次補正選択画面作成ルーチン（＃０８）を行うとともにこの補正選択画面作成ルーチンで決定された画像処理条件を画像処理条件設定部４１に登録し（＃０９）、登録されたファイル名は補正選択画面作成テーブルから削除される（＃１０）。補正選択画面作成テーブルへ登録されている画像ファイル名が空になると（＃０７でYes分岐）、メモリ３０に展開されている撮影画像データを画像処理条件設定部４１に設定された画像処理条件に基づいて画像処理するとともに最終的な撮影画像データをプリントデータ生成部３４でプリントデータに変換してプリント出力を開始するプリント処理ルーチンに移行する。
【００２８】
なお、上述した画像取り込みルーチンでは、ＣＲタグのチェックのための属性情報の取り出しと同時にそのJPEG画像データも展開してメモリ３０にロードさせていたが、メモリ３０が十分な記憶容量を備えていない場合、ＣＲタグが設定されている画像ファイルの撮影画像データだけをメモリ３０に展開して、補正選択画面の作成に使用するようにし、プリント処理ルーチンにおいて、プリント出力処理に応じて順次撮影画像データをメモリ３０に展開するような構成を採用しても良い。
【００２９】
本発明は、上述した写真プリント装置に画像ファイルや注文データからなる注文情報を送り込む写真プリント受付装置も対象としている。このような写真プリント受付装置の基本的な模式構成が図７に示されている。この図７は図３に対応するものであり、同じ機能を果たす構成要素には同じ番号を付与するだけで、その説明は省略する。この写真プリント受付装置では、ユーザがメモリカードＭをメディアリーダ１８に装着することによってモニタ４に表示される良く知られた写真プリント注文画面とともに、ＣＲタグが設定されている画像ファイルが検出されると、上述した補正選択画面がモニタ４に表示されるので、ユーザによって第１画像（自動補正なし、ユーザ指示依存画像）、第３画像（自動補正のレベルが弱い）、第２画像（完全自動補正、ユーザ指示独立画像）から所望の画像が選択されることになる。この補正選択によって決定された画像処理条件は注文情報に記録される。注文情報は注文作成部３８によって作成されるが、このような注文情報作成技術は良く知られており、例えば、特開２００３−１１８２１０号公報や特開２００３−７８８７０号公報に開示されている。
上述した実施の形態では、取り扱う撮影画像ファイルをExifファイルとし、説明を簡単にするため、画像処理関連情報検出部でチェックされる画像処理関連情報がプリント自動補正解除指示を示すＣＲタグとしていたが、もちろん本発明のこれらに限定されるわけではなく、その他の画像ファイルを用いたり、あるいは画像処理関連情報としてＣＲタグ以外のプリント時の画像処理に関係する全てのタグを利用することが可能である。その一例としては、マニュアル露出で撮影されたことを指示するタグである。マニュアル露出で撮影された撮影画像は、撮影者であるユーザが何らかの意図をもって独自の絞り値・シャッター速度で被写体を撮影したものであるので、例え全体的な画像として露出不足であったり、露出オーバーであっても、それをプリンタ側で安易に補正することは望ましくはない。もちろん、マニュアル露出と直接的に関係しない部分での補正、例えば色補正などは施すのが好ましい。いずれにしても、デジタルカメラにおけるマニュアル露出設定は比較的簡単に設定することができるので、不測にマニュアル露出設定にしてしまったり、過去に行ったマニュアル露出設定を解除することを忘れているといったことも十分に起こりえる。それゆえ、このタグがＯＮとなっていることが検出されると、濃度補正とコントラスト補正が行われておらず、他の補正（色補正など）だけが行われた画像を表す第１画像と、濃度補正やコントラスト補正も含む完全な補正がなされた画像を表す第２画像、必要によってはそれらの画像処理的に中間的な第３画像をモニタ表示して、ユーザが所望の画像を選択できるようにするとよい。
【００３０】
上述した実施の形態では、プリントステーション１Ｂは、印画紙Ｐに対し、露光エンジンを備えたプリント部１２で撮影画像の露光を行い、この露光後の印画紙Ｐを複数の現像処理する、いわゆる銀塩写真プリント方式を採用していたが、もちろん、本発明におけるプリントステーション１Ｂは、このような方式に限定されるわけではなく、例えば、フィルムや紙にインクを吐出して画像を形成するインクジェットプリント方式や感熱転写シートを用いた熱転写方式など、種々の写真プリント方式を採用することができる。
【産業上の利用可能性】
【００３１】
本発明は、Exifファイルのようにプリント時の画像処理に何らかの影響を与える情報を含む属性情報を有する画像ファイルから写真プリントを出力する写真プリント注文を処理する写真プリント装置や写真プリント受付装置に利用可能である。
【図面の簡単な説明】
【００３２】
【図１】本発明による写真プリント装置の外観図
【図２】写真プリント装置の模式図
【図３】コントローラに構築される各機能部を説明する機能ブロック図
【図４】画像ファイルの模式的データ構造図
【図５】補正選択画面を示す説明図
【図６】画像取り込みからプリント開始までを説明するフローチャート
【図７】本発明による写真プリント受付装置のコントローラに構築される各機能部を説明する機能ブロック図
【符号の説明】
【００３３】
３：コントローラ
４ａ（４）：オペレータ用モニタ
４ｂ（４）：リモートモニタ
１２：プリント部
３０：メモリ
３１：データ前処理部
３２：ＧＵＩ部
３６：画像処理関連タグ検出部
３７：補正選択画面管理部
４０：画像処理手段
４１：画像処理条件設定部
４２：シミュレーティッド画像生成部
【図１】
2005102062.tif 000003
【図２】
2005102062.tif 000004
【図３】
2005102062.tif 000005
【図４】
2005102062.tif 000006
【図５】
2005102062.tif 000007
【図６】
2005102062.tif 000008
【図７】
2005102062.tif 000009